(57)【要約】【課題】本発明の目的は、電線配索用カバーをハウジングに組み付ける際の作業性の向上を図ったコネクタを提供することにある。【解決手段】コネクタ１は、端子付き電線２の端子を収容するハウジング３と、該ハウジング３から引き出された電線２０を略９０度屈曲させて配索するための電線配索用カバー４と、を有し、電線配索用カバー４がハウジング３に押し込まれることで組み付けられ、ハウジングは、角筒状のハウジング本体３１を備え、電線配索用カバー４は、基壁４１と、該基壁から立設される一対の壁部４２と、を備え、壁部４２には、基壁４１から離れる前方に延出されて、電線配索用カバーがハウジングに押し込まれる際に一対のロック部３２Ａ、３２Ｂ間にスライド進入される進入部４７が設けられ、進入部が、一対のロック受け部より前方側に位置している。【選択図】図７Ａ
2019029290.tif 000002
【特許請求の範囲】
【請求項１】
端子付き電線の端子を収容するハウジングと、該ハウジングから引き出された電線を略９０度屈曲させて配索するための電線配索用カバーと、を有し、前記電線配索用カバーが前記ハウジングに押し込まれることで組み付けられるコネクタであって、
前記ハウジングは、前記電線が引き出される矩形状の引出し面、及び該引出し面の上下左右の縁に連続される４つの外面を有する角筒状のハウジング本体と、
該ハウジング本体の外面から上下方向に突出して設けられているとともに左右に離間した各一対のロック部と、を備え、
前記電線配索用カバーは、前記引出し面と対向する位置にある基壁と、
該基壁から立設されるとともに上下に対向して設けられて互いの間に前記電線を位置させる一対の壁部と、を備え、
各前記壁部には、各前記一対のロック部が嵌まる一対のロック受け部と、前記基壁から離れる前方に延出されて、前記電線配索用カバーが前記ハウジングに押し込まれる際に前記一対のロック部間にスライド進入される進入部と、が設けられ、
前記進入部が、前記一対のロック受け部より前方側に位置していることを特徴とするコネクタ。
【請求項２】
前記進入部の前端は、前記電線配索用カバーが前記ハウジングに組み付けられる際、前記ハウジングに最初に接触する位置にあることを特徴とする請求項１に記載のコネクタ。
【請求項３】
前記各壁部には、左右の両縁から立設されて左右に対向する一対の立設片が設けられ、
前記一対の立設片は、前記電線配索用カバーが前記ハウジングに押し込まれる際、前記ロック部に乗り上げて前記一対の立設片間から離れるように前記一対の立設片の左右の各内面から突出形成された乗上げ部と、前記乗上げ部が前記ロック部に乗り上げた際に、前記一対のロック部の左右の外面に当接する当接部と、を有していることを特徴とする請求項１または請求項２に記載のコネクタ。
【請求項４】
前記進入部が、前記一対のロック部間にスライド進入され、前記進入部が前記一対のロック部間から離間して前記乗上げ部が前記ロック部に乗り上げた際に、前記当接部が、前記一対のロック部の左右方向の外面に当接することを特徴とすることを特徴とする請求項３に記載のコネクタ。
【請求項５】
各前記壁部には、上下に対向する内面から板状に立設して設けられた移動規制壁が設けられ、
前記移動規制壁は、前記ロック部が前記ロック受け部に嵌まる位置で、前記引出し面に当接することを特徴とする請求項１〜請求項４のうち何れか一項に記載のコネクタ。
【請求項６】
請求項１〜請求項５のうち何れか一項に記載のコネクタと、
前記端子が前記ハウジングに収容される前記端子付き電線と、を備えたことを特徴とする電線付きコネクタ。
【請求項７】
請求項６に記載の電線付きコネクタを複数有し、
複数の前記電線付きコネクタが左右方向に並んで設けられ、
１つの前記電線付きコネクタの前記電線配索用カバー内に、左右方向の一方側に位置する前記電線付きコネクタの前記ハウジングから引き出された前記電線が含まれていることを特徴とするワイヤハーネス配索体。
【発明の詳細な説明】
【技術分野】
【０００１】
本発明は、コネクタ、電線付きコネクタ、ワイヤハーネス配索体に関するものである。
【背景技術】
【０００２】
自動車には、多種多様な電子機器が搭載され、電子機器に電力や制御信号等を伝えるために、ワイヤハーネスが配索されている。ワイヤハーネスは、複数の電線と、コネクタと、を備え、このコネクタを電子機器のコネクタや他のワイヤハーネスのコネクタに嵌合させることで、電子機器や他のワイヤハーネスに接続されている。
【０００３】
このようなワイヤハーネスに用いられるコネクタとして、例えば、端子金具と、端子金具を収容するハウジングと、ハウジングから外部に引き出された電線の経路を規制するためのコネクタカバーと、を備えたものがある（例えば、特許文献１参照）。
【０００４】
特許文献１に開示されたコネクタにあっては、図１０、図１１に示すように、幹線１１０（図１１に示す）から分岐した枝線１１１（図１１に示す）の先端に電気的に接続された不図示の端子を収容する角筒状のハウジング１０１と、ハウジング１０１の枝線１１１の引出し面１０１Ａ側に組み付けられるコネクタカバー１０２と、を備えている。図１０は、従来のコネクタ１００を示す平面図である。図１１は、従来のコネクタ１００の使用状態を示す斜視図である。
【０００５】
コネクタカバー１０２は、底壁１０３及び底壁１０３から立設する４つの側壁１０４Ａ、１０４Ｂ、１０４Ｃ、１０４Ｄを有する有底筒状に形成され、底壁１０３と対向する位置に開口１０５を有している。４つの側壁１０４Ａ、１０４Ｂ、１０４Ｃ、１０４Ｄのうち、対向する１０４Ａ、１０４Ｂには、ハウジング１０１から引き出された枝線１１１を挿通させる電線挿通口１０６が形成されている。また、４つの側壁１０４Ａ、１０４Ｂ、１０４Ｃ、１０４Ｄには、隣接する側壁１０４Ａ、１０４Ｂ、１０４Ｃ、１０４Ｄの境界部に、ハウジング１０１に設けられた係止突起１０７に係止される係止孔１０８が形成されている。コネクタカバー１０２は、ハウジング１０１の引出し面１０１Ａから枝線１１１が引き出された状態で、開口１０５側をハウジングの引出し面１０１Ａに近付けてハウジング１０１の軸方向（矢印Ｙ方向）に押し込むことで、係止突起１０７が係止孔１０８を係止する。こうして、コネクタカバー１０２は、ハウジング１０１に組み付けられる。
【先行技術文献】
【特許文献】
【０００６】
【特許文献１】特開２０１５−１０３３１２号公報
【発明の概要】
【発明が解決しようとする課題】
【０００７】
しかしながら従来のコネクタ１００にあっては、コネクタカバー１０２（電線配索用カバー）のハウジング１０１に対する位置決めは、目視により行われていたので、コネクタカバー１０２がハウジング１０１に対して、押込み方向（矢印Ｙ方向）に直交する方向（矢印Ｘ方向）に位置ずれし、係止され難くなることがあった。
【０００８】
本発明の目的は、電線配索用カバーをハウジングに組み付ける際の作業性の向上を図ったコネクタを提供することにある。
【課題を解決するための手段】
【０００９】
前記課題を解決し目的を達成するために、請求項１に記載された発明は、端子付き電線の端子を収容するハウジングと、該ハウジングから引き出された電線を略９０度屈曲させて配索するための電線配索用カバーと、を有し、前記電線配索用カバーが前記ハウジングに押し込まれることで組み付けられるコネクタであって、前記ハウジングは、前記電線が引き出される矩形状の引出し面、及び該引出し面の上下左右の縁に連続される４つの外面を有する角筒状のハウジング本体と、該ハウジング本体の外面から上下方向に突出して設けられているとともに左右に離間した各一対のロック部と、を備え、前記電線配索用カバーは、前記引出し面と対向する位置にある基壁と、該基壁から立設されるとともに上下に対向して設けられて互いの間に前記電線を位置させる一対の壁部と、を備え、各前記壁部には、各前記一対のロック部が嵌まる一対のロック受け部と、前記基壁から離れる前方に延出されて、前記電線配索用カバーが前記ハウジングに押し込まれる際に前記一対のロック部間にスライド進入される進入部と、が設けられ、前記進入部が、前記一対のロック受け部より前方側に位置していることを特徴とするコネクタである。
【００１０】
請求項２に記載された発明は、請求項１に記載の発明において、前記進入部の前端は、前記電線配索用カバーが前記ハウジングに組み付けられる際、前記ハウジングに最初に接触する位置にあることを特徴とするものである。
【００１１】
請求項３に記載された発明は、請求項１または請求項２に記載の発明において、前記各壁部には、左右の両縁から立設されて左右に対向する一対の立設片が設けられ、前記一対の立設片は、前記電線配索用カバーが前記ハウジングに押し込まれる際、前記ロック部に乗り上げて前記一対の立設片間から離れるように前記一対の立設片の左右の各内面から突出形成された乗上げ部と、前記乗上げ部が前記ロック部に乗り上げた際に、前記一対のロック部の左右の外面に当接する当接部と、を有していることを特徴とするものである。
【００１２】
請求項４に記載された発明は、請求項３に記載の発明において、前記進入部が、前記一対のロック部間にスライド進入され、前記進入部が前記一対のロック部間から離間して前記乗上げ部が前記ロック部に乗り上げた際に、前記当接部が、前記一対のロック部の左右方向の外面に当接することを特徴とするものである。
【００１３】
請求項５に記載された発明は、請求項４に記載の発明において、各前記壁部には、上下に対向する内面から板状に立設して設けられた移動規制壁が設けられ、前記移動規制壁は、前記ロック部が前記ロック受け部に嵌まる位置で、前記引出し面に当接することを特徴とするものである。
【００１４】
請求項６に記載された発明は、請求項１〜請求項５のうち何れか一項に記載のコネクタと、前記端子が前記ハウジングに収容される前記端子付き電線と、を備えたことを特徴とする電線付きコネクタである。
【００１５】
請求項７に記載された発明は、請求項６に記載の電線付きコネクタを複数有し、複数の前記電線付きコネクタが左右方向に並んで設けられ、１つの前記電線付きコネクタの前記電線配索用カバー内に、左右方向の一方側に位置する前記電線付きコネクタの前記ハウジングから引き出された前記電線が含まれていることを特徴とするワイヤハーネス配索体である。
【発明の効果】
【００１６】
請求項１に記載の発明によれば、電線配索用カバーは、ハウジングの引出し面と対向する位置にある基壁と、該基壁から立設されるとともに上下に対向して設けられて互いの間に電線を位置させる一対の壁部と、を備え、各壁部には、各一対のロック部が嵌まる一対のロック受け部と、基壁から離れる前方に延出されて、電線配索用カバーがハウジングに押し込まれる際に一対のロック部間にスライド進入される進入部と、が設けられ、進入部が、一対のロック受け部より前方側に位置している。即ち、一対のロック部が一対のロック受け部に嵌まる前に、進入部が一対のロック部間に進入されることで、電線配索用カバーがハウジングに対して左右方向に位置決めされる。このように、電線配索用カバーがハウジングに対して位置決めされた後、一対のロック部が一対のロック受け部に嵌まることで、電線配索用カバーをハウジングに組み付ける際の作業性の向上を図ることができる。
【図面の簡単な説明】
【００１７】
【図１】本発明の実施形態に係るワイヤハーネス配索体が適用されたミッションケース内を模式的に示す平面図である。
【図２】前記ワイヤハーネス配索体を示す平面図である。
【図３Ａ】前記ワイヤハーネス配索体を構成するコネクタを示す斜視図である。
【図３Ｂ】前記コネクタを示す平面図である。
【図４】前記コネクタを構成するハウジングを示す斜視図である。
【図５Ａ】前記コネクタを構成する電線配索用カバーを示す斜視図である。
【図５Ｂ】前記電線配索用カバーを示す平面図である。
【図６】前記電線配索用カバーをハウジングに対して組み付ける手順を説明するための平面図である。
【図７Ａ】図６の次の動作を説明するための斜視図である。
【図７Ｂ】図７ＡをＡ方向から見た矢視図である。
【図８Ａ】図７Ａの次の動作を説明するための平面図である。
【図８Ｂ】図８ＡをＢ方向から見た矢視図である。
【図９】前記電線配索用カバーが前記ハウジングに組み付けられた状態を示す斜視図である。
【図１０】従来のコネクタを示す平面図である。
【図１１】従来のコネクタの使用状態を示す斜視図である。
【発明を実施するための形態】
【００１８】
以下、本発明の実施形態を図面に基づいて説明する。図１は、本発明の実施形態に係るワイヤハーネス配索体１１が適用されたミッションケース１２内を模式的に示す平面図である。図２は、ワイヤハーネス配索体１１を示す平面図である。図３Ａは、ワイヤハーネス配索体１１を構成するコネクタ１を示す斜視図である。本実施形態のワイヤハーネス配索体１１は、図１、図２に示すように、矩形状のミッションケース１２の中に収容されるものであり、複数の電線付きコネクタ１０を有して構成されている。電線付きコネクタ１０は、端子付き電線２と、端子付き電線２の端子を収容する略角筒状のハウジング３と、当該ハウジング３から引き出された電線２０を略９０度屈曲させて配索するための電線配索用カバー４と、を備えている。ミッションケース１２は、不図示のカバーにより密液に覆われる。そして、ミッションケース１２とカバーとに囲まれた内部空間にオイルが充填される。
【００１９】
ミッションケース１２内には、不図示の電子部品等を固定するためのベース部材１３と、ベース部材１３に固定された複数のソレノイド１４と、各ソレノイド１４に固定された相手方コネクタ１５（例えばオスコネクタ）と、が収容されている。複数の電線付きコネクタ１０は、各コネクタ１（例えばメスコネクタ）が相手方コネクタ１５に嵌合した状態で、コネクタ１、１５の嵌合方向（矢印Ｙ方向）に直交する左右方向（Ｘ方向）に並んで設けられている。また、各電線付きコネクタ１０は、図２に示すように、ハウジング３から引き出された電線２０が、電線配索用カバー４によって略９０度屈曲されている。一端が端子１６（図７Ｂに示す）に接続された各電線２０Ａ（２０）の他端側は、略９０度屈曲されて、左右方向（Ｘ方向）の一方側（図１、図２における左方）に位置する電線付きコネクタ１０Ａの後述する電線配索用カバー４内に位置している。
【００２０】
コネクタ１は、図３Ａ、図３Ｂに示すように、ハウジング３及び電線配索用カバー４により構成されている。なお、図面において、略角筒状のハウジング３の軸方向（前後方向）を矢印Ｙで示し、矢印Ｘに直交する方向（左右方向）を矢印Ｘで示し、矢印Ｘと矢印Ｙの双方向に直交する方向（上下方向）を矢印Ｚで示す。また、電線配索用カバー４のハウジング３への押込み方向を「前方」と記し、反対方向を「後方」と記す場合がある。
【００２１】
ハウジング３は、図４に示すように、角筒状に形成されたハウジング本体３１と、ハウジング本体３１から突出して設けられた複数（図示例では４つ）のロック部３２と、を備えている。ハウジング本体３１は、矩形状のハウジング前面３１１及び矩形状のハウジング後面３１２（引出し面）と、ハウジング前面３１１とハウジング後面３１２の上下左右の縁に連続されるハウジング上面３１３、ハウジング下面３１４、ハウジング左右の外面３１５、３１６（４つの外面）と、を備えている。
【００２２】
ハウジング本体３１は、内部に左右に並びつつ前後方向（矢印Ｙ）に延在する複数（図示例では２つ）の端子収容室３３を有している。各端子収容室３３は、ハウジング本体３１を前後方向に貫通して設けられている。ハウジング本体３１には、ハウジング前面３１１及びハウジング後面３１２に、２つの端子収容室３３の前後の開口（前方の開口に３３ａを付与する）が形成されている。
【００２３】
端子収容室３３の不図示の後方の開口から、ハウジング後面３１２は、端子収容室３３に収容された端子１６に接続された電線２０が外部に引き出されている。このハウジング本体３１は、端子収容室３３に端子付き電線２の端子１６が収容された状態で、端子収容室３３の後方の開口から電線２０が引き出され、９０度屈曲されて電線２０の他端側が左右方向（Ｘ方向）の一方に向かうように配索されている。
【００２４】
さらに、ハウジング本体３１には、相手方コネクタ１５に係止する係止突起３４が、ハウジング上面３１３に設けられている。
【００２５】
４つのロック部３２は、ハウジング本体３１において隣接する外面３１３、３１４、３１５、３１６の境界部から突出して設けられている。本実施形態では、４つのロック部３２は、上方に位置するとともに左右に離隔する一対のロック部３２Ａ、３２Ｂ（３２）と、下方に位置する一対のロック部３２Ａ、３２Ｂ（３２）と、を備えている。
【００２６】
各ロック部３２は、ハウジング本体３１の後端３１ａに位置している。各ロック部３２は、ロック前面３２１、ロック後面３２２、ロック対向面３２３（３２４）、ロック上下面３２５、ロック傾斜面３２６、及びロック側面３２７を有している。ロック前面３２１及びロック後面３２２は、前後に対向して設けられている。ロック対向面３２３、３２４のうち、ロック対向面３２３はロック部３２Ａの一部であり、ロック対向面３２４はロック部３２Ｂの一部である。また、ロック対向面３２３、３２４は、左右に対向して設けられている。ロック上下面３２５は、上下方向（矢印Ｚ）に直交して設けられている。ロック傾斜面３２６は、ロック上下面３２５の左右の外側に連続して設けられている。ロック側面３２７は、左右方向（Ｘ方向）に直交して設けられているとともに、ロック傾斜面３２６の左右の外側に連続して設けられている。ロック上下面３２５は、ハウジング本体３１のハウジング上面３１３より上方に位置している。ロック側面３２７は、ハウジング本体３１のハウジング左右の外面３１５、３１６よりさらに外方に位置している。
【００２７】
このようなロック部３２は、ロック傾斜面３２６に、電線配索用カバー４の後述する乗上げ部４８が乗り上げる。また、ロック傾斜面３２６に、電線配索用カバー４の乗上げ部４８が乗り上げた際に、ロック側面３２７に、電線配索用カバー４の後述する当接部４９が当接する。
【００２８】
さらにハウジング３は、ハウジング上面３１３に設けられた一対の突条部３５を有している。各突条部３５は、各ロック部３２の左右の内側に連続して設けられている。各突条部３５は、ハウジング本体３１の後端３１ａから前方に延在して設けられている。各突条部３５の上面は、ロック部３２のロック上面３２５より低い（ハウジング本体３１の上下の面３１３に近い）位置に設けられている。
【００２９】
電線配索用カバー４は、図５Ａ、図５Ｂに示すように、ハウジング後面３１２と対向する位置にある矩形状の基壁４１と、基壁４１の上下の縁から立設されるとともに上下に対向して互いの間に電線２０を位置させる一対の壁部４２と、を一体に備えている。
【００３０】
一対の壁部４２は、それぞれ、壁部本体４３と、壁部本体４３の左右の両縁から立設されるとともに左右に対向する一対の立設片４４と、ハウジング３に対する電線配索用カバー４の前後方向（矢印Ｙ）の位置決めをするための移動規制壁４５と、を一体に備えている。
【００３１】
また、各壁部４２には、壁部本体４３と各立設片４４との境界を含む位置に、ハウジング３のロック部３２が嵌まる貫通孔としてのロック孔４６（ロック受け部）が設けられている。本実施形態では、ロック受け部として、貫通孔としてのロック孔４６が用いられているが、ロック受け部は、ロック部３２が嵌まる凹部であってもよい。
【００３２】
壁部本体４３は、略厚みが略一様な平板状に形成されている。この壁部本体４３には、基壁４１から離れる前方に延出されて、一対のロック部３２間にスライド進入される進入部４７が設けられている。進入部４７とは、壁部本体４３の前端において、進入部４７を除く部分の前端４３ａより基壁４１から離れる前方に延出された部分のことである。即ち、進入部４７の前端４７ａは、進入部４７を除く部分の前端４３ａより前方側に位置している。進入部４７は、壁部本体４３の前端における左右の中心に設けられている。このように、進入部４７の前端４７ａは、電線配索用カバー４において最も前方側に位置しており、電線配索用カバー４がハウジング３に組み付けられる際に、ハウジング３に最初に接触する位置にある。
【００３３】
一対の立設片４４は、所定の厚みを有して構成されている。各立設片４４は、内面４４１（当接部４９の左右方向の内面）から突出形成された乗上げ部４８（図５（Ｂ）に示す）と、壁部本体４３から離れる方向に延出されてロック部３２のロック側面３２７に当接される当接部４９と、を有している。乗上げ部４８は、壁部本体４３から離れるにしたがって、左右方向（Ｘ方向）の外側に向かうように傾斜した傾斜面４８１と、傾斜面４８１において壁部本体４３から離れた端部から左右方向の外側に連続された垂直面４８２と、を有している。傾斜面４８１及び垂直面４８２は、各立設片４４の前後方向（矢印Ｙ）の全長に形成されている。当接部４９は、各立設片４４の左右方向の外側の端部に位置し、壁部本体４３から離れる方向に延出されている。一対の立設片４４の当接部４９間の寸法は、一対のロック部３２のロック側面３２７間の寸法と略等しい寸法となるように形成されている。
【００３４】
移動規制壁４５は、各壁部本体４３の上下に対向する内面４３０（図５Ｂに示す）から板状に立設して設けられている。移動規制壁４５は、ロック部３２がロック孔４６と上下に対向する位置で（ロック部３２が嵌まる位置）で、ハウジング３のハウジング後面３１２に当接するように設けられている。このような移動規制壁４５は、電線配索用カバー４がハウジング３に押し込まれる際のストッパーとして機能する。
【００３５】
次に、電線付きコネクタ１０を組み立てる手順を、図６〜図９を参照して説明する。
【００３６】
予め、電線２０の一端に端子１６（図７Ｂに示す）が接続された端子付き電線２を用意する。端子付き電線２の端子１６を、端子収容室３３に収容し、端子１６に接続された電線２０の他端側を、端子収容室３３の後方の開口から引き出して、略９０度屈曲させる。図６〜図９では、端子付き電線２は省略されている。
【００３７】
図６に示すように、ハウジング３のハウジング後面３１２に、電線配索用カバー４を、基壁４１が対向する向きで近付ける。この際、ハウジング後面３１２から引き出された電線２０を一対の壁部４２間に位置させる。電線配索用カバー４の進入部４７の前端４７ａが、ハウジング３の一対のロック部３２Ａ、３２Ｂ間に接触する。さらに電線配索用カバー４を押し込むことで、進入部４７が一対のロック部３２Ａ、３２Ｂ間にスライド進入する。壁部本体４３の前端において、進入部４７を除く部分の前端４３ａが、ロック部３２のロック後面３２２に当接する。こうして、図７Ａ、図７Ｂに示すように、電線配索用カバー４が、ハウジング３に対して左右方向（Ｘ方向）に位置決めされる。
【００３８】
さらに電線配索用カバー４を押し込むことにより、図８Ａに示すように、一対の壁部４２が上下方向（矢印Ｚ）に離間するように撓む。進入部４７は一対のロック部３２Ａ、３２Ｂ間から上下方向に離間して、ロック部３２のロック傾斜面３２６に電線配索用カバー４の傾斜面４８１が乗り上げる。この際、図８Ｂに示すように、電線配索用カバー４の当接部４９が、ロック部３２のロック側面３２７に当接する。こうして、電線配索用カバー４が、ハウジング３に対して左右方向（Ｘ方向）に位置決めされる。このように、進入部４７により位置決めされた後、当接部４９により位置決めされる進入部４７及び当接部４９の連続した一連の位置決め作用により、ロック孔４６をロック部３２に嵌める作業がスムーズに行われる。
【００３９】
電線配索用カバー４の当接部４９が、各ロック部３２のロック側面３２７に当接した状態で、さらに電線配索用カバー４を押し込むことにより、移動規制壁４５がハウジング後面３１２に当接して、電線配索用カバー４のハウジング３に対する移動が停止される。こうして、電線配索用カバー４が、ハウジング３に対して前後方向（Ｙ方向）に位置決めされる。この後、一対の壁部４２をハウジング上面３１３及びハウジング下面３１４に近付けるように押し付ける。各ロック部３２がロック孔４６に嵌まる。こうして電線配索用カバー４をハウジング３に組み付ける。こうして、電線付きコネクタ２を組み立てる。
【００４０】
上述した実施形態によれば、各ロック部３２が各ロック孔４６に嵌まる前に、進入部４７が一対のロック部３２Ａ、３２Ｂ間に進入されることで、電線配索用カバー４がハウジング３に対して左右方向（Ｘ方向）に位置決めされる。このように、電線配索用カバー４がハウジング３に対して位置決めされた後、ロック部３２がロック孔４６（ロック受け部）に嵌まることで、電線配索用カバー４をハウジング３に組み付ける際の作業性の向上を図ることができる。
【００４１】
また、進入部４７の前端４７ａは、電線配索用カバー４がハウジング３に組み付けられる際、ハウジング３に最初に接触する位置にある。これによれば、作業者が、電線配索用カバー４をハウジング３に組み付ける際に、進入部４７の前端４７ａを一対のロック部３２Ａ、３２Ｂ間に近付けることで、自然に電線配索用カバー４がハウジング３に対して位置決めされる。従って、電線配索用カバー４をハウジング３に組み付ける際の作業性の向上を、より一層、図ることができる。
【００４２】
また、各壁部４２には、左右の両縁から立設される一対の立設片４４が設けられ、一対の立設片４４は、電線配索用カバー４がハウジング３に押し込まれる際、ロック部３２に乗り上げて一対の立設片４４間から離れるように一対の立設片４４の左右の各内面４４１から突出形成された乗上げ部４８と、乗上げ部４８がロック部３２に乗り上げた際に、ロック部３２のロック側面３２７（一対のロック部の左右の外面）に当接する当接部４９と、を有している。即ち、ロック部３２がロック孔４６（ロック受け部）に嵌まる前に、乗上げ部４８がロック部３２に乗り上げて、当接部４９がロック側面３２７（一対のロック部の左右の外面）に当接することで、電線配索用カバー４がハウジング３に対して左右方向（Ｘ方向）に位置決めされる。このように、電線配索用カバー４がハウジング３に対して位置決めされた後、ロック部３２がロック孔４６（ロック受け部）に嵌まることで、電線配索用カバー４をハウジング３に組み付ける際の作業性の向上を、より一層、図ることができる。
【００４３】
また、進入部４７が、一対のロック部３２Ａ、３２Ｂ間にスライド進入され、進入部４７が一対のロック部３２Ａ、３２Ｂ間から離間して乗上げ部がロック部３２に乗り上げた際に、当接部４９が、ロック側面３２７（一対のロック部３２Ａ、３２Ｂの左右の外面）に当接する。このように、進入部４７により位置決めされた後、当接部４９により位置決めされるという進入部４７及び当接部４９の連続した一連の位置決め作用により、ロック孔４６をロック部３２に嵌める作業をスムーズすることができる。従って、電線配索用カバー４をハウジング３に組み付ける際の作業性の向上を、より一層、図ることができる。
【００４４】
また、各壁部４２には、上下に対向する内面４３０から板状に立設して設けられた移動規制壁が設けられ、移動規制壁は、ロック部３２がロック受け部に嵌まる位置で、ハウジング後面３１２（引出し面）に当接するように設けられている。即ち、移動規制壁は、電線配索用カバー４をハウジング３に対して移動させる際に、ロック部３２がロック受け部に嵌まる位置で、移動規制壁によって、電線配索用カバー４の移動を停止させる。こうして、電線配索用カバー４が、ハウジング３に対して前後方向（Ｙ方向）に位置決めされる。これにより、ロック孔４６にロック部３２を嵌める作業をスムーズすることができる。従って、電線配索用カバー４をハウジング３に組み付ける際の作業性の向上を、より一層、図ることができる。
【００４５】
なお、本発明は、前記実施形態に限定されるものではなく、本発明の目的が達成できる他の構成等を含み、以下に示すような変形等も本発明に含まれる。
【００４６】
例えば、前記実施形態では、電線配索用カバー４をハウジング３に組み付ける際に、電線配索用カバー４の傾斜面４８１がロック傾斜面３２６を乗り上げるように構成されているが、本発明はこれに限定されるものではない。電線配索用カバー４をハウジング３に組み付ける際に、電線配索用カバー４の垂直面４８２がロック傾斜面３２６を乗り上げるように構成されていてもよい。電線配索用カバー４の乗上げ部４８がロック部３２に乗り上げた際に、電線配索用カバー４の当接部４９が、ロック部３２のロック側面３２７に当接するように構成されていてもよい。これによれば、前記実施形態と略同様の効果が奏される。
【００４７】
また、前記実施形態では、ハウジング３、及び電線配索用カバー４は、ロック部３２及びロック孔４６により４箇所でロックされるように構成されていたが、本発明はこれに限定されるものではない。ハウジング、及び電線配索用カバーは、４箇所以外の複数箇所でロックされる構成であってもよい。その場合には、例えば、ロック部の一部を、ヒンジ状として半固定状態とし、残りでロックするようにしてもよい。
【００４８】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４９】
１      コネクタ
２      端子付き電線
３      ハウジング
４      電線配索用カバー
１０    電線付きコネクタ
１１    ワイヤハーネス配索体
１６    端子
２０    電線
３１    ハウジング本体
３１２  ハウジング後面（引出し面）
３１３  ハウジング上面（４つの外面）
３１４  ハウジング下面（４つの外面）
３１５、３１６  ハウジング左右の外面（４つの外面）
３２Ａ、３２Ｂ  一対のロック部
３２７  ロック側面（一対のロック部の左右の外面）
４１    基壁
４２    一対の壁部
４４    一対の立設片
４４１  一対の立設片の左右の各内面
４５    移動規制壁
４６    ロック孔（ロック受け部）
４７    進入部
４７ａ  前端
４８    乗上げ部
４９    当接部
Ｘ      左右方向
Ｚ      上下方向
【図１】
2019029290.tif 000003
【図２】
2019029290.tif 000004
【図３Ａ】
2019029290.tif 000005
【図３Ｂ】
2019029290.tif 000006
【図４】
2019029290.tif 000007
【図５Ａ】
2019029290.tif 000008
【図５Ｂ】
2019029290.tif 000009
【図６】
2019029290.tif 000010
【図７Ａ】
2019029290.tif 000011
【図７Ｂ】
2019029290.tif 000012
【図８Ａ】
2019029290.tif 000013
【図８Ｂ】
2019029290.tif 000014
【図９】
2019029290.tif 000015
【図１０】
2019029290.tif 000016
【図１１】
2019029290.tif 000017